(57)【要約】【課題】    巻紙を均一に収納し、筆記具の美感を損ねず軽く実用的で操作が容易であり、該巻紙の巻き出しまたは巻取り・収納に便利な巻紙収納装置を備えた巻紙収納装置付筆記具の提供。【解決手段】    ペン芯を備えたペン座体と、該ペン座体上部に設置され、巻紙の巻き出し・巻取りを行なう巻紙収納装置を含み、そのうち、該巻紙収納装置がさらに、側面開口部を備えた略筒状殻体と、該略筒状殻体の上下両端を覆い、収納空間を形成する２つの略筒状殻体蓋と、該収納空間内部に設置された中心回転軸と、該中心回転軸上に固定される始端及び該巻紙の始端を接続し固定する末端とを備えた回転軸バネ組と、該略筒状殻体と該回転軸バネ組の間に設置された環状バネ組とを含み、前記回転軸バネ組が、該中心回転軸の回動に合わせ、前記側面開口部を介し、該巻紙の巻出し・取り出しまたは巻取り収納を行ない、同時に、該回転軸バネ組が該巻紙を外側へ向って付勢し、前記環状バネ組が、内側へ向って該巻紙を収縮させる。【選択図】    図３
0003103481.tif 000002
【実用新案登録請求の範囲】
【請求項１】
巻紙収納装置であって、巻紙をその内部に収納し、その構造が、側面開口部及び収納空間を備えた略筒状殻体と、該略筒状殻体の該収納空間内部に設置された中心回転軸と、該中心回転軸の上に挿入し固定される始端及び該巻紙の始端を接続し固定する末端を備えた回転軸バネ組と、該略筒状殻体と該回転軸バネ組の間に設置された環状バネ組と、を含み、そのうち、前記回転軸バネ組は、該中心回転軸の回動に合わせ、該略筒状殻体の該側面開口部を介し、該巻紙の巻出し・取り出しまたは該巻紙の該収納空間内への巻取り収納を行なう、巻紙収納装置。
【請求項２】
前記のうち、該略筒状殻体がさらに２つの略筒状殻体蓋を含み、該略筒状殻体の上下両端を該略筒状殻体蓋でそれぞれ覆い、該収納空間を形成する、請求項１に記載の巻紙収納装置。
【請求項３】
前記のうち、該略筒状殻体蓋にそれぞれ中心円孔を形成し、該中心回転軸の両端にそれぞれ上位置決め突起及び下位置決め突起を設け、該略筒状殻体蓋の該中心円孔にそれぞれ穿通し位置決めされる、請求項２に記載の巻紙収納装置。
【請求項４】
前記のうち、該上位置決め突起にさらに歯車を設け、該中心回転軸の回動を制御する、請求項３に記載の巻紙収納装置。
【請求項５】
さらに、少なくとも１つの弧状弾性ガイドを含み、その一端が前記側面開口部に接続して設置され、別の一端が該巻層の外層を支持し、該巻紙の末端を導引し、該巻紙の末端を該側面開口部から伸出させる、請求項１に記載の巻紙収納装置。
【請求項６】
前記のうち、該回転軸バネ組が封閉型の環状バネ組であり、少なくとも１つの径方向の伸縮弾性を備えた薄片を巻いて成る、請求項１に記載の巻紙収納装置。
【請求項７】
前記のうち、該環状バネ組が、非封閉型の環状バネ組であって、径方向の伸縮弾性を備えた薄片を巻いて成る、請求項１に記載の巻紙収納装置。
【請求項８】
前記のうち、該環状バネ組が少なくとも１つの環状バネから成る、請求項１に記載の巻紙収納装置。
【請求項９】
前記のうち、該少なくとも１つの環状バネが、該略筒状殻体内に均衡して設置され、該巻層の円周を維持させる、請求項８に記載の巻紙収納装置。
【請求項１０】
前記のうち、該環状バネ組と該巻層の接触面積が一定値より小さく、該環状バネ組と該巻層外層の摩擦阻力を減少した、請求項１に記載の巻紙収納装置。
【請求項１１】
巻紙収納機能を備えた筆記具であって、使用者が筆記に使用するペン芯を内部に備えたペン座体と、該ペン座体の上方に設置され、巻紙の巻き出し・巻取りを行なう巻紙収納装置を含み、そのうち、該巻紙収納装置が、側面開口部を備えた略筒状殻体と、該略筒状殻体の上下両端を覆い、その内部に収納空間を形成する２つの略筒状殻体蓋と、該略筒状殻体の該収納空間内部に設置された中心回転軸と、該中心回転軸上に挿入し固定される始端及び該巻紙の始端を接続し固定する末端とを備えた回転軸バネ組と、該略筒状殻体と該回転軸バネ組の間に設置された環状バネ組と、を含み、該回転軸バネ組が、該中心回転軸の回動に合わせ、該略筒状殻体の該側面開口部を介し、該巻紙の巻出し・取り出しまたは該巻紙の該略筒状殻体内への巻取り収納を行なう、巻紙収納機能付筆記具。
【請求項１２】
前記のうち、さらに、該略筒状殻体蓋にそれぞれ中心円孔を形成し、該中心回転軸の両端にそれぞれ上位置決め突起及び下位置決め突起を設け、該略筒状殻体蓋の該中心円孔にそれぞれ穿通し位置決めされる、請求項１１に記載の巻紙収納機能付筆記具。
【請求項１３】
前記上位置決め突起にさらに歯車を設け、該中心回転軸の回動を制御する、請求項１２に記載の巻紙収納機能付筆記具。
【請求項１４】
前記歯車上にキャップを設置し、該中心回転軸の回転を制御し、巻紙の巻き出し・巻取りを行なう、請求項１３に記載の巻紙収納機能付筆記具。
【請求項１５】
前記のうち、さらに、該歯車に届く位置まで延伸し、且つ、一定距離を維持して軸回転制御部を設置し、該軸回転制御部は、弾性押圧により該中心回転軸の該歯車と相互に噛み合う噛合部を備え、使用者が巻紙を破り取る際、該噛合部により該中心回転軸を固定する、請求項１３に記載の巻紙収納機能付筆記具。
【請求項１６】
さらに、前記軸回転制御部を操作して該中心回転軸を固定する際、該軸回転制御部と係合し径方向の側面支持力を形成する、凹み槽を設けた、請求項１５に記載の巻紙収納機能付筆記具。    
【請求項１７】
さらに、少なくとも１つの弧状弾性ガイドを含み、その一端が前記側面開口部に接続して設置され、別の一端が該巻層の外層を支持し、該巻紙の末端を導引し、該巻紙の末端を該側面開口部から伸出させる、請求項１１に記載の巻紙収納機能付筆記具。
【請求項１８】
前記のうち、前記回転軸バネ組が少なくとも１つの封閉型の環状バネ組であり、弾性薄片を巻いて成る、請求項１１に記載の巻紙収納機能付筆記具。
【請求項１９】
前記のうち、前記環状バネ組が非封閉型の環状バネ組であり、弾性薄片を巻いて成る、請求項１１に記載の巻紙収納機能付筆記具。
【請求項２０】
前記のうち、該環状バネ組が少なくとも１つの環状バネから成る、請求項１１に記載の巻紙収納機能付筆記具。
【請求項２１】
前記のうち、該少なくとも１つの環状バネが、該略筒状殻体内に均衡して設置され、該巻層の円周を維持させる、請求項１９に記載の巻紙収納機能付筆記具。
【請求項２２】
前記のうち、該環状バネ組と該巻層の接触面積が一定値より小さく、該環状バネ組と該巻層外層の摩擦阻力を減少した、請求項１１に記載の巻紙収納装置。
【考案の詳細な説明】
【技術分野】
【０００１】
本考案は、多機能性筆記具に関し、特に、巻紙収納装置を備えた筆記具に関する。        
【背景技術】
【０００２】
筆記具は、筆記を行なうための用具であり、筆記は紙の上で行なわれ、この両者の関係は密接であり、どちらか一つが欠けると不便を生じる。しかし、これまでの長い間、この二つの用具はそれぞれ別々に形成され、別々に発展してきた。人が外出するとき、通常筆記用具を携帯する習慣があるが、紙は携帯に不便であるため、往々にして一緒に携帯されることはないが、必要なときに紙が見つからないという状態が多く発生する。このような、筆記具はあるが紙がない、または、紙はあるが筆記具がない、という不便な状況は、改善されるべきである。
【０００３】
このため、紙と筆記具を合体させる試みが行われているが、紙と筆記具を一体化した関連製品は、まだ市場において普及しておらず、実用的な製品がない。筆記具に紙を付帯させるには、相当な長さの細長い形状の紙を円筒状に巻き取り、筆記具内に収納してこそ、利便で軽く、実用的な製品とすることができる。
【０００４】
しかしながら、巻紙収納機構内に収納した巻紙の取り出し・使用を容易にし、また、随時その機能を正常で円滑な状態に保つということが重要な課題となっている。中華民国特許出願案第74201018号の「カートリッジ式紙付筆記具」は、巻紙の末端を引き出し取り出しやすくするために、筆記具の管上に大きな開口部を設けており、筆記具の外観の美感が損なわれてしまっている。また、中華民国特許出願案第81206055号の「メモ用紙取り出し装置付ボールペン」は、巻紙の末端を出口から引き出して使用することができるよう、逆回転防止機構を設けているが、この機構は一方向のみに回転するため、引き出して筆記に使用した後の巻紙を巻取り収納することはできない。このほか、米国特許第2512168号は、台形巻紙を備えた筆記具を提案し、巻紙が弛んで膨らみ滞ることを防ぐために、巻紙の上下両端を回転軸上に固定し、さらに、該巻紙両端の螺子環に切り取り線を設けて破り取りやすくした設計であるが、該機構が提供可能な巻紙の前後の大きさが異なり、台形を呈しているため、一般に使用されるメモ用紙の形状に符合せず、また、該回転軸両端に紙が残り、無駄を生じてしまう。さらに、中華民国特許案第88204515号の「メモ用紙付筆記具の改良構造」は、内管と外管の任意の回転及び回転位置決めの相互作用により、メモ用紙の巻紙の末端を筆記具の棒体の外側へ伸出させやすくした構造で、使用者は、予め設けられた切り取り線上の突出部を引っ張るだけで、一定長さの巻紙を取り出すことができ、且つ、滑り止め点により該巻紙末端をガイド槽箇所に保留させ、次回の使用時に巻紙を取り出しやすくする設計である。この設計によれば、巻紙を巻き出すことはできるものの、巻き取ることができず、また、予め定められた一定長さの巻紙では、様々な必要に応じ長さを調節して使用することができない。
【０００５】
以上から分かるように、従来の巻紙機構を備えた筆記具は、３つの設計模式に分類することができ、即ち、一つは、巻紙の中心軸の内側から押す力を採用したもの、2つ目は巻紙末端を外側へ引き出す引っ張り力を利用したもの、また3つ目は、該内側から押す力と外側への引っ張り力を混合して運用したものである。しかしながら、これらどの模式を採用しても、巻紙の自然な弛み及び膨らみに起因する巻紙の滞りや巻き戻り現象を克服するために、従来技術は内側から押す力を採用した逆回転防止装置を採用するか、外側へ引っ張る力を利用し、巻紙末端を出口に留める設計を採用するかのどちらかであり、巻紙の始端または末端に重点を置いており、巻紙の始端と末端間の巻紙の巻層の弛みと膨らみの現象に対しては、有効な解決方法を提供するに至っていない。
【０００６】
このため、本考案は、前述の欠点を回避でき、且つ、巻紙機構を備えた筆記具を提供し、美感と実用性を兼ね備え、且つ、巻紙の取り出しと巻取りを行なうことができる、巻紙収納機能付の筆記具の提供は、現在解決が迫られている問題である。
【特許文献１】中華民国特許出願案第74201018号
【特許文献２】中華民国特許出願案第81206055号
【特許文献３】米国特許第2512168号
【特許文献４】中華民国特許案第88204515号
【考案の開示】
【考案が解決しようとする課題】
【０００７】
本考案の主な目的は、巻紙を均一に収納することができる巻紙収納装置を提供し、本考案の特殊な巻取り機構の導入により、該機構内の巻紙の巻層に発生する膨らみや弛み、滯り、絡みまたは巻戻りの物理的現象を効果的に防ぐことができ、同時に、美観を損ねることなく実用的で操作が容易であり、該巻紙の巻き出しまたは巻取り・収納に便利な巻紙収納装置を提供することにある。
【０００８】
本考案の別の目的は、巻紙収納装置を備えた筆記具を提供し、該装置内の巻紙の巻層に発生する膨らみや弛み、滯り、絡みまたは巻戻りの物理的現象を効果的に防ぐことができ、同時に、美観を損ねることなく実用的で操作が容易であり、該巻紙の巻き出しまたは巻取り・収納に便利な巻紙収納装置付筆記具を提供することにある。
【課題を解決するための手段】
【０００９】
本考案の巻紙収納装置は、巻紙をその内部に巻取り収納するために用いられ、側面開口部と収納空間を備えた略筒状の殻体と、該略筒状殻体の該収納空間の内部に設置された中心回転軸と、該中心回転軸の上に挿入して固定される始端と、該巻紙の始端を接続し固定する末端とを備えた回転軸バネ組と、該略筒状殻体と該回転軸バネ組の間に設置された環状バネ組と、を含み、そのうち、該回転軸バネ組は、該中心回転軸の回転に合わせ、該略筒状殻体の該側面開口部を介し、該収納空間からの該巻紙の巻出し及び該収納空間内への巻取りを行うと共に、該巻紙を取り出すとき、該回転軸バネ組の径方向の伸縮弾性が、該巻紙を外方向へ向かって付勢し、同時に、前記環状バネ組の内層リングがその径方向の伸縮弾性により該巻紙を内側へ向って収縮させ、反対に、該巻紙を巻き取るとき、前記回転軸バネ組の刑芳香の収縮弾性が内側へ向って収縮し、巻き取った巻紙を収納する部分空間を形成し、同時に、該環状バネ組の内層環がその径方向の拡張弾性により外側へ向って拡張し、巻き取った巻紙を収納する部分空間を形成する。
【００１０】
前述のうち、該略筒状殻体はさらに２つの略筒状殻体蓋を含み、該略筒状殻体蓋が該略筒状殻体の上下両端をそれぞれ覆い、該収納空間を形成する。
【００１１】
前述のうち、該略筒状殻体蓋は中心円孔を備え、該中心回転軸の両端に設けた上位置決め突起及び下位置決め突起をそれぞれ該略筒状殻体蓋の該中心円孔に穿通し、位置決めする。
【００１２】
前述のうち、該上位置決め突起にさらに該中心回転軸の回動を制御するための歯車を設ける。
【００１３】
前述の該巻紙収納装置に、さらに、少なくとも１つの弧状弾性ガイドを設け、その一端を前記側面開口部に接続して設置し、別の一端は該巻層の外層を支持し、該巻紙の末端が該側面開口部から伸出するよう、該巻紙の末端を導入する。
【００１４】
前述のうち、該回転軸バネ組は封閉型の環状バネ組であり、伸縮弾性を備えた薄片を巻いて成る。
【００１５】
前述のうち、該環状バネ組は非封閉型の環状バネ組であり、伸縮弾性を備えた薄片を巻いて成る。
【００１６】
前述のうち、該環状バネ組は、少なくとも１つの環状バネから成る。
【００１７】
前述のうち、該環状バネは、設於該略筒状殻体内に均衡して設置され、該巻層の円周を維持する。
【００１８】
前述のうち、該環状バネ組と該巻紙の接触面積が一定値より小さく、該環状バネ組と該巻紙外層の摩擦阻力を減少する。
【００１９】
本考案の巻紙収納装置付筆記具は、使用者が筆記に使用するペン芯を内部に備えたペン座体と、該ペン座体の上方に設置され、巻紙の巻き出し・巻取りを行なう巻紙収納装置を含み、そのうち、該巻紙収納装置がさらに、側面開口部を備えた略筒状殻体と、該略筒状殻体の上下両端を覆い、その内部に収納空間を形成する２つの略筒状殻体蓋と、該略筒状殻体の該収納空間内部に設置された中心回転軸と、該中心回転軸上に挿入し固定される始端及び該巻紙の始端を接続し固定する末端とを備えた回転軸バネ組と、該略筒状殻体と該回転軸バネ組の間に設置された環状バネ組と、を含み、そのうち前記回転軸バネ組が、該中心回転軸の回動に合わせ、該略筒状殻体の該側面開口部を介し、該巻紙の巻出し・取り出しまたは該巻紙の該略筒状殻体内への巻取り収納を行ない、同時に、該回転軸バネ組が該巻紙を外側へ向って付勢し、前記環状バネ組が、内側へ向って該巻紙を収縮させる。
【００２０】
前述のうち、該略筒状殻体蓋がそれぞれ中心円孔を備え、該中心回転軸の両端に設けた上位置決め突起及び下位置決め突起をそれぞれ該略筒状殻体蓋の該中心円孔に穿通し、位置決めする。
【００２１】
前述のうち、該上位置決め突起にさらに該中心回転軸の回動を制御するための歯車を設ける。    
【００２２】
前述のうち、該筆記具がさらにキャップを含み、前記歯車上に該キャップを設置し、該中心回転軸の回転を制御し、巻紙の巻き出し・巻取りを行なう。
【００２３】
前述のうち、該筆記具がさらに軸回転制御部を含み、該軸回転制御部は該歯車に届く位置まで延伸されると共に一定距離を維持して設置され、該軸回転制御部は、弾性押圧により該中心回転軸の該歯車と相互に噛み合う噛合部を備え、使用者が巻紙を破り取る際、該噛合部により該中心回転軸を固定する。
【００２４】
前述のうち、該筆記具がさらに凹み槽を含み、前記軸回転制御部を操作して該中心回転軸を固定する際、該軸回転制御部と係合し径方向の側面支持力を形成する。    
【００２５】
前述のうち、該筆記具がさらに少なくとも１つの弧状弾性ガイドを含み、その一端が前記側面開口部に接続して設置され、別の一端が該巻層の外層を支持し、該巻紙の末端を導入し、該巻紙の末端を該側面開口部から伸出させる。
【００２６】
前述のうち、前記回転軸バネ組が少なくとも１つの封閉型の環状バネ組であり、弾性薄片を巻いて成る。
【００２７】
前述のうち、前記環状バネ組が非封閉型の環状バネ組であり、弾性薄片を巻いて成る。
【００２８】
前述のうち、前記環状バネ組が少なくとも１つの環状バネから成る。
【００２９】
前述のうち、該少なくとも１つの環状バネが、該略筒状殻体内に均衡して設置され、該巻層の円周を維持させる。
【００３０】
前述のうち、該環状バネ組と該巻紙の接触面積が一定値より小さく、該環状バネ組と該巻紙外層の摩擦阻力を減少する。
【考案の効果】
【００３１】
本考案は、巻紙収納装置を備えた筆記具を提供する。特殊な巻紙収納装置の導入により、筆記具の美感を損ねることなく、軽くて実用的で、携帯に便利な筆記具を提供することができる。従来技術で未解決の巻紙の応力特性等の問題は、本考案により解決することができ、本考案によれば、巻紙の応力により発生する膨らみや弛み(巻き回転応力)、滞り(摩擦力)、絡まり(捻力)、巻戻り等の現象を効果的に解決することができ、また、重複して該巻紙を取り出したり、巻き取って収納したりすることができる双方向の回転機能を備えており、さらに、巻紙容器と筆記具本体を迅速に分離させることができ、それぞれ筆記の動作に合わせて用いることができ、組立ても同様に迅速且つ簡単に行なうことができ、メモ用紙、簡易メモ帳、筆記具の３つの機能を一体化し、カートリッジ式の巻紙容器とペン芯の交換も簡単で、筆記具を多機能化することができる新規的な考案であり、産業的利用価値も高い。    
【考案を実施するための最良の形態】
【００３２】
以下、本考案の巻紙収納装置を備えた筆記具に関し、簡潔な筆記具に本考案の巻紙収納装置を応用したものを実施例として説明する。本考案の技術を応用した物品は、ここに説明する実施例に限られることなく、以下に述べる技術的特徴を備えた類似のあらゆる物品に適用でき、薄片状軟質材の巻取り容器、巻紙容器やメモ用紙、簡易メモ帳などを結合した筆記具等、すべて参考にすることができる。本考案の該巻紙収納装置の導入により、美感と軽さ、実用性及び携帯上の利便性を筆記具に兼ね備えさせることができる。
【００３３】
図１から図６に本考案の巻紙収納装置を示す。本考案の巻紙収納装置2は、巻紙23をその内部に巻き取って収納するために用いる。その構造は、側面開口部243と弧状弾性ガイド２４４及び収納空間を備えた略筒状殻体24と、該略筒状殻体24の該収納空間内に設置された中心回転軸21と、該中心回転軸21の上に挿入し固定された始端と、該巻紙23の始端231を接続し固定する末端２22を備えた回転軸バネ組22と、該略筒状殻体24と該回転軸バネ組22の間に設置された環状バネ組25と、を含み、そのうち、該回転軸バネ組は該中心回転軸21の回動に合わせ、該略筒状殻体24の該側面開口部243を介し、該巻紙23の巻出し・取り出しまたは該巻紙23を該収納空間の内部に巻取り収納し、同時に、該回転軸バネ組22が外方向へ該巻紙23を付勢し、該環状バネ組25は、該巻紙23を内方向へ収縮させる。
【００３４】
実際の応用においては、本考案の外形、大きさは従来の筆記具に合わせ、筆記具の要求する軽さ、美観、携帯上の利便性の原則に合わせて応用することができる。本考案の規格化された設計により、本考案を応用した筆記具は大量生産が可能であり、且つ、巻紙収納装置は交換設置が可能で、ペン芯の交換同様に便利である。
【００３５】
本考案の巻紙収納装置２は、中心回転軸21と、回転軸バネ組22、巻紙２３、略筒状殻体24、環状バネ組25及び２つの略筒状殻体蓋26から成る。該中心回転軸21の中間部にさらに細溝211を設け、該中心回転軸21の両端に直径がやや小さい位置決め突起212を設置し、そのうち、上端の位置決め突起の上方にさらに歯車213を設置する。このほか、該回転軸バネ組22は、弾性薄片を巻いて成り、その始端は狭く、末端が広い形状であり、また、その始端にさらに湾曲角度面221を設け、前記中心回転軸21の該細溝211に挿入して固定され、さらに、逆時計回り方向に回転軸に数回巻きつけ、封閉型の環状バネを形成し、その末端222の外縁部と、該巻紙の始端231内縁部を接続して固定し、接続界面を形成し、さらに、逆時計回り方向に該回転軸バネ組22を巻き、該巻紙２３を巻きつける。そのうち、該回転軸バネ組22は、径方向の伸縮弾力を備えていることを特徴とし、該巻紙の巻出し・取り出しまたは巻取り収納時において、該巻紙収納装置内部空間の増減を機動的に調整することができる。このほか、該回転軸バネ組22の径方向の拡張弾力は、適切に該巻紙２３の内層に付勢し、隙間の発生を防ぎ、さらには逆方向に押された時の紙の折れ曲がりを防ぐことができる。
【００３６】
本考案に基づく上述の略筒状殻体24は、高い柔軟性と弾性を備えた材質から成り、該略筒状殻体24の上下両端の管口端部に複数個の殻体凹み部241を設け、管外壁に円周に沿って２つの浅凹槽242を形成し、その上に該側面開口部243を軸方向に開設し、その側縁にさらに径方向に延伸して形成した弧状弾性ガイド244を設置し、そのうち、該弧状弾性ガイド244は、管壁と一体成形してもよく、且つ、その厚さは先端へ向って徐々に薄くなり、外側から内側へ弧状の湾曲を形成する。さらに、該弧状弾性ガイド244の根部に軸方向に浅いU字形のガイド槽245を開設し、後続して設置される筆記具上部のガイド313を導入するために用いる。また、該弧状弾性ガイド244の末端は、その弾力により該巻紙の外層に接触し、該中心回転軸21が逆時計回りに回転する時、該巻紙末端232を押し、該巻紙容器の側面開口部243から伸出するよう導引する。
【００３７】
このほか、本考案の該環状バネ組25は、弾性薄片を巻いて成り、その細部構造はさらに外層リング251及び内層リング252を含み、該外層リング251の末端は、内方向へ巻方向と反対方向へ湾曲され挟み部253を形成し、該挟み部253は該略筒状殻体24側面開口部の一側縁を挟み、逆時計回り方向に該略筒状殻体24外壁上に形成された前記浅凹槽242上に巻いて固定され、該外層リング251の別の一端は、反対方向に巻かれ該略筒状殻体24の内部に伸入し、時計回り方向に前記回転軸バネ組22の外囲に巻きつけられ、非封閉型的内層リング252を形成する。そのうち、該環状バネ組25は、径方向の伸縮弾力を備えているため、該巻紙２３の膨らみや弛みの発生を規制することができ、該巻紙の巻出しまたは巻取り時には、該巻紙容器の内部空間を機動的に調整することができる。さらに、本考案の内層リング252の幅は該巻紙２３の幅より小さいため、両者の接触面積は小さく、逆方向に巻紙が押されたとき、その摩擦阻力を減少することができる。該環状バネ組25は、該巻紙の上下両端近くにそれぞれ設置してもよく、該巻紙２３の円周をバランスよく維持することができる。
【００３８】
本考案の２つの略筒状殻体蓋26は、該略筒状殻体24の上下にそれぞれ設置され、両者の直径は該略筒状殻体24の外径より若干大きく、両者の外円周に複数個の凸突起261を開設し、該略筒状殻体24の殻体凹み部241と連結し、固定される。該複数個の凸突起261のうち、前記側面開口部243箇所に連結される凸突起261には、さらに浅い切り込み状のガイド槽245を形成する。上下の略筒状殻体蓋26を該略筒状殻体24の上下両端に設置し組立てるとき、該上下の略筒状殻体蓋26のガイド槽245と該側面開口部243の弧状弾性ガイド244のガイド槽245の三者が同一の軸方向の直線上に位置し、筆記具上部出口箇所のガイド313を導入して位置決めする。また、該弧状弾性ガイド244のガイド槽245の幅は、該ガイド313の厚さより若干大きく、該弧状弾性ガイド244の弾性に比較的大きな活動性を与える。該略筒状殻体蓋26の中心には、それぞれ円孔262を開設し、該円孔262に前記中心回転軸21両端の位置決め突起212を穿通し、位置決めする。上の略筒状殻体蓋26の上面に、ガイド槽245に向って左側の特殊角度に、外縁部から該中心円孔262へ通じる凹み部263を開設し、該凹み部263に該軸回転制御部321が設置され位置決めされると共に、該軸回転制御部321を操作して該歯車213を固定し紙を破くとき、該凹み部263が該軸回転制御部321に横方向の側面支持を提供する。
【００３９】
図４に示すように、本考案の該巻紙収納装置2内に該巻紙23を設置していないとき、該回転軸バネ組22と該環状バネ組25の相対位置は、該２つのバネ組の巻き応力が平衡した状態となる。
【００４０】
図５に、本考案の該巻紙収納装置内の該巻紙23が未使用の状態にあるときの、該回転軸バネ組22と該環状バネ組25の相互作用の相関位置を示す。図に示すように、該巻紙23は緊密な層を形成し、該収納装置内にはいかなる隙間もなく、逆時計回り回転R1により簡単に巻紙２３を巻出すことができる。
【００４１】
図６に、本考案の該巻紙収納装置内の該巻紙23を取り出した後の、該回転軸バネ組22と該環状バネ組25の相互作用の相関位置を示す。図に示すように、該巻紙23の層数が減少するが、該巻紙23の巻層内外のバネ片の径方向の伸縮弾性の相互作用により、巻層はやはり緊密な層を形成し、隙間のない状態を維持し、逆回転の内推力が該巻紙23の始端231から同一方向に、且つ、いかなる間断もなく層を経てその末端232へ伝えられなければならないという原則に符合し、いつでも円滑に取り出すことができる状態を保つことができる。反対に、巻出した巻紙23も、時計回り回転R2の内引力により、容器内に巻取り収納することができ、円筒状の簡易メモ帳として使用できる。
【００４２】
図７及び図８に、本考案の巻紙収納装置を備えた筆記具の各構成部品の相互関係をさらに示す。図に示すように、筆記具上部3は、筆記具上部壁面31、クリップ部32、軸回転制御部321、キャップ33、筆記具上部蓋34、筆記具中段接続部35、固定ネジ部36等により構成される。該筆記具上部3の該筆記具上部壁面31上にさらに細長い線状の縦方向の出口311を開設し、該出口311の長さは巻紙の幅に相当し、さらに、紙を容易に切断することができるよう該出口311の側縁部に細い鋸状の刃口312を設け、別の側縁部は若干内側へ張り出したガイド313を備え、巻紙容器を挿入する時、該ガイド313が円滑に略筒状殻体24上蓋の凸突起261外縁上のガイド槽245を導入し、さらに、弧状弾性ガイド244根部のガイド槽245を導入し、最後に略筒状殻体24下蓋の凸突起261外縁上のガイド槽245を導入して、巻紙容器の側面開口部243と筆記具上部3出口311を位置決めし、前後に連続した通孔を形成させると共に、若干内側へ張り出した該ガイド313が、巻紙容器外壁と筆記具上部3内壁の間の隙間を遮蔽し、巻紙の末端がその内部に誤って入り込むことを防ぐことができる。
【００４３】
このほか、該筆記具上部3の外壁にクリップ部32を固定し、該クリップ部32上方の該筆記具上部3に一字形開口部314を設け、該軸回転制御部321を筆記具上部3内に伸入させ、該略筒状殻体24上蓋の上縁面の凹み部263に該軸回転制御部321が嵌置され、位置決めされる。該軸回転制御部321は、弾性材質から成り、該クリップ部32と一体成形としてもよく、相互に一定の特殊な角度を形成する。該噛合部322は鋸状を呈し、該中心回転軸21の該歯車213と相互に噛み合い、同時に、該噛合部322と該歯車213は一定距離を保ち、中心回転軸21の回転に影響せず、且つ、それ自身の弾力により、該軸回転制御部321が押された時、該噛合部322の歯が中心回転軸21の該歯車213と噛み合い、中心回転軸21を固定し、巻紙を破り取るとき、同時にまた巻紙が引き出されるのを防ぐ。押す動作を終えると、該噛合部322が該歯車213を離れ、元の位置に戻る。
【００４４】
実際の応用においては、該筆記具上部3の上端にさらにキャップ33を設置し、該キャップ33の下端は外側へ張り出した形状のつば部331を備え、該キャップ33のつば部331が、該筆記具上部蓋34内に離脱することなく固定される。そのうち、該キャップ33の内部は中空の円孔を備え、その孔壁面上に歯車部332を形成し、該歯車部332と前記中心回転軸上端の歯車213を噛み合わせ、該キャップ33を逆時計回り回転R1または時計回り回転R2させると、該中心回転軸21を動かすことができ、内推力または内引力を利用し、該巻紙23を操作して、該巻紙を巻出したり巻き取ったりすることができ、この逆時計回りまたは時計回りの単純な双方向設計により、効果的に紙の巻出し使用または巻き取り収納の2つの機能を得ることができる。
【００４５】
該筆記具上部3の下端の外周に筆記具中段接続部35を固定し、該中段接続部35下段の内壁面に、該巻紙容器の固定ネジ36の雄ネジと螺合される雌ネジ刻み部351を設け、巻紙容器交換時には、該固定ネジ36を回して開け、交換を行なう。該固定ネジ36下端には、筆記具下部座体4内の伝動装置４２を接続するためのカバー管361を設ける。該筆記具下部座体４内部には、一般的なペン芯の伸縮に用いる伝動装置４２を設け、該伝動装置４２の中心ネジ孔に、上端部にペン芯ナット４１１を備えたペン芯４１を螺合し、該筆記具下部座体４の下端に筆記具先端部４３を固定して、筆記具の上下部を結合すると、完全な筆記具が形成される。
【００４６】
以上から分かるように、本考案の巻紙収納装置付筆記具は、以下の操作方法により使用する。
１． キャップを逆時計回りに回転させ、必要な長さの巻紙を巻き出し、軸回転制御部を押して巻紙を破り取り、メモ用紙として使用する。
２． 筆記具の上部と下部座体を反対方向へ回すだけで迅速且つ簡単に筆記具上部と下部座体を分離することができ、さらに、筆記具上部のキャップを逆時計回りに回転させ、巻紙を巻き出しメモに使用し、その後時計回りにキャップを回転させ、使用した巻紙を筆記具上部内に巻取り、簡易型のメモ帳として使用することができる。また、筆記具の上部と下部座体は同様に迅速且つ簡単に組立てることができる。
３． 長い長さの紙が必要なとき、キャップを逆時計回りに回転させて巻紙の末端を巻き出した後、さらに外方向へ引っ張ると迅速に巻紙を引き出すと、操作時間を短縮できる。
４． 巻紙に予め、電話番号や住所、カレンダー、単位表、世界各地の時刻など、各種の生活情報を印刷したり、また、製品の広告や使用説明等、各種の商業的文面や非商業的文面を印刷することもでき、幅広く応用することができる。
【００４７】
以上、上述の説明において、本考案の巻紙収納装置の各項目的、構成部品、実施方法を説明してきたが、本考案に基づいたいかなる修飾や変更も、本考案の申請範囲に含まれるものとする。
【図面の簡単な説明】
【００４８】
【図１】本考案の巻紙収納装置を備えた筆記具の立体外観図である。
【図２】本考案の巻紙収納装置の立体外観図である。
【図３】本考案の巻紙収納装置の各構成部品を示す立体分解図である。
【図４】本考案の巻紙収納装置に巻紙を設置していない状態を示す断面図である。
【図５】本考案の巻紙収納装置内に設置された巻紙が取り出されていない状態を示す断面図である。
【図６】本考案の巻紙収納装置内に設置された巻紙が取り出された後の状態を示す断面図である。
【図７】本考案の巻紙収納装置を備えた筆記具の筆記具上部の断面図である。
【図８】本考案の巻紙収納装置を応用した筆記具の構成部品を示す断面図である。
【符号の説明】
【００４９】
1     筆記具
2      巻紙収納装置
21    中心回転軸
211   細溝
212   位置決め突起
213   歯車
22    回転軸バネ組
221   湾曲角度面
222   回転軸バネ組末端
23    巻紙
231   巻紙の始端
232   巻紙の末端
24    略筒状殻体
241   殻体凹み部
242   浅凹槽
243   側面開口部   
244   弧状弾性ガイド   
245   ガイド槽    
25     環状バネ組     
251   外層リング 
252   内層リング 
253   挟み部      
26    略筒状殻体蓋     
261   凸突起         
262   円孔
263   凹み部
3      筆記具上部
31     筆記具上部壁面
311    出口
312    刃口 
313    ガイド
314    一字形開口部
32     クリップ部
321    軸回転制御部
322    噛合部
33     キャップ
331    つば部
332    歯車部
34     筆記具上部蓋
35     筆記具中段接続部
351     雌ネジ刻み部
36      固定ネジ
361    カバー管
4       筆記具下部座体
41         ペン芯
411        ペン芯ナット
42         伝動装置
43         筆記具先端部
R1        逆時計回り回転
R2        時計回り回転
【図１】
0003103481.tif 000003
【図２】
0003103481.tif 000004
【図３】
0003103481.tif 000005
【図４】
0003103481.tif 000006
【図５】
0003103481.tif 000007
【図６】
0003103481.tif 000008
【図７】
0003103481.tif 000009
【図８】
0003103481.tif 000010